(57)【要約】【課題】駆動方法及びそれを使用した表示装置を提供する。【解決手段】走査回路と、データ回路と、前記走査回路に結合される複数本の第１信号線と、前記データ回路に結合される複数本の第２信号線と、を含み、前記複数本の第１信号線が前記複数本の第２信号線と交差して、交差箇所に複数のピクセルを形成してピクセルマトリックスを構成する表示装置を駆動する方法である。当該方法は、まず、前記ピクセルマトリックスを少なくとも第１領域及び第２領域に区分し、第１更新周波数で前記第１領域を更新し、第２更新周波数で前記第２領域を更新し、前記第１更新周波数が前記第２更新周波数より小さく、一フレームにおいて、ピクセルマトリックス領域が更新されていない場合、前記データ回路の前記ピクセルマトリックス領域への出力は、開回路状態、浮動接続状態、又は高抵抗状態に設定される。【選択図】図３
2013148905.tif 000002
【特許請求の範囲】
【請求項１】
少なくとも、走査回路と、データ回路と、前記走査回路に結合される複数本の第１信号線と、前記データ回路に結合される複数本の第２信号線と、を含み、前記複数本の第１信号線が前記複数本の第２信号線と交差して、交差箇所に複数のピクセルを形成してピクセルマトリックスを構成する表示装置を駆動するための駆動方法であって、
前記ピクセルマトリックスを少なくとも第１領域及び第２領域に区分するステップと、
第１更新周波数で前記第１領域を更新するステップと、
第２更新周波数で前記第２領域を更新するステップと、
を少なくとも備え、
前記第１更新周波数が前記第２更新周波数より小さい駆動方法。
【請求項２】
前記ピクセルマトリックスを少なくとも第１領域及び第２領域に区分するステップは、
第１映像画面データと第２映像画面データを受信するステップと、
前記第１映像画面データと前記第２映像画面データを演算して対比して、映像画面モードを取得するステップと、
前記映像画面モードによって、前記ピクセルマトリックスを少なくとも第１領域及び第２領域に区分するステップと、
を更に備える請求項1に記載の駆動方法。
【請求項３】
前記走査回路及び前記データ回路を制御して前記第１領域及び前記第２領域を駆動するためのタイミング制御回路を更に含み、前記タイミング制御回路は、前記走査回路が前記第１更新周波数で前記第１領域を更新する場合、前記走査回路に第１開閉信号を提供し、前記走査回路が前記第２更新周波数で前記第２領域を更新する場合、前記走査回路に第２開閉信号を提供する請求項２に記載の駆動方法。
【請求項４】
一フレームにおいて、ピクセルマトリックス領域が更新されていない場合、前記データ回路の前記ピクセルマトリックス領域への出力は、開回路状態、浮動接続状態、又は高抵抗状態に設定される請求項1に記載の駆動方法。
【請求項５】
前記表示装置は、液晶ディスプレイ、電子泳動ディスプレイ、電気湿潤ディスプレイ、ＭＥＭＳ微小電気機械ディスプレイ、シリコンミニチュアディスプレイ、アクティブマトリックス又は半導体シリコンウェハーマトリックスである請求項1に記載の駆動方法。
【請求項６】
走査回路と、
データ回路と、
演算判断ユニットと、
タイミング制御回路と、
レジスタと、
切替回路と、
前記走査回路に結合される複数本の第１信号線と、
前記切替回路を介して前記データ回路に結合される複数本の第２信号線と、
を少なくとも含み、
前記複数本の第１信号線が前記複数本の第２信号線と交差して、交差箇所に複数のピクセルを形成してピクセルマトリックスを構成し、
前記ピクセルマトリックスが少なくとも第１領域及び第２領域に区分される場合、前記レジスタが前記第１領域のアドレスを一時保存し、前記タイミング制御回路が、前記レジスタに一時保存される前記第１領域のアドレスによって、前記走査回路と前記データ回路を制御して、第１更新周波数で前記第１領域を更新し、第２更新周波数で前記第２領域を更新し、前記第１更新周波数が前記第２更新周波数より小さい表示装置。
【請求項７】
前記演算判断ユニットが、
第１映像画面データと第２映像画面データを受信するステップと、
前記第１映像画面データと前記第２映像画面データを対比して、映像画面モードを取得するステップと、
前記映像画面モードによって、前記ピクセルマトリックスを少なくとも第１領域及び第２領域に区分するステップと、
を更に含む請求項６に記載の表示装置。
【請求項８】
前記演算判断ユニットは、
前記第１映像画面データを一時保存するための第１レジスタと、
前記第２映像画面データを一時保存するための第２レジスタと、
前記第１映像画面データと前記第２映像画面データを演算して対比して、映像画面モードを取得するためのコンパレータを更に含む請求項７に記載の表示装置。
【請求項９】
前記走査回路及び前記データ回路を制御して前記第１領域及び前記第２領域を駆動するためのタイミング制御回路を更に含み、前記タイミング制御回路は、前記走査回路が前記第１更新周波数で前記第１領域を更新する場合、前記走査回路に第１開閉信号を提供し、前記走査回路が前記第２更新周波数で前記第２領域を更新する場合、前記走査回路に第２開閉信号を提供する請求項６に記載の表示装置。
【発明の詳細な説明】
【技術分野】
【０００１】
本発明は、駆動方法に関し、特に、表示装置の駆動方法及びそれを使用した表示装置に関する。
【背景技術】
【０００２】
薄膜トランジスタ液晶ディスプレイにおいて、画像の表示は、ピクセル毎に加えた電圧を変えて、当該ピクセル領域に対応する液晶分子層の両側の電場を変えて、液晶分子層のねじれ角度又は配列を制御して、光の透過量を制御することによって達成される。
【０００３】
図１は、走査駆動回路１０１と、データ駆動回路１０２と、互いに平行な複数の走査線１０２１〜１０２ｍと、互いに平行で且つそれぞれ前記走査線１０２１〜１０２ｍと絶縁的に直交する複数のデータ線１０１１〜１０１ｎと、複数の走査線１０２１〜１０２ｍと複数のデータ線１０１１〜１０１ｎとの交差箇所に位置する複数の薄膜トランジスタ１０３と、を含む先行技術による薄膜トランジスタ液晶ディスプレイ１００である。複数の薄膜トランジスタ１０３は、ゲートがそれぞれ走査線１０２１〜１０２ｍに接続され、ソースがそれぞれデータ線１０１１〜１０１ｎに接続され、ドレインが画素電極１０４に接続される。
【０００４】
上ガラス基板は、画素電極１０４に対向する複数の透明な共電極１０５を含む。前記共電極１０５は、インジウムスズ酸化物の材料からなることができる。各画素電極１０４、共電極１０５及び前記２つの電極の間に挟まれる液晶分子は、画素ユニットを構成する。画素ユニットは、液晶ディスプレイ１００の最小の表示ユニットである。一般に、全ての共電極１０５に安定のコモン電圧Ｖｃｏｍを印加し、画素電極１０４に外部画素データによって決められたグレースケール電圧を印加すると、画素電極１０４と共電極１０５との間に位置する液晶分子は、画素電極１０４と共電極１０５との電圧差で所定の角度でねじって、グレースケール表示を達成する。
【０００５】
図２を参照されたい。図２は、前記薄膜トランジスタ液晶ディスプレイ１００の駆動信号を示す波形図である。「Ｇ１−Ｇｎ」は走査線１０２１〜１０２ｍに印加された走査信号の波形図であり、「Ｖｃｏｍ」は共電極１０５に印加されたコモン電圧の波形図であり、「Ｖｄ」は画素電極１０４に印加されたグレースケール電圧の波形図である。図１及び図２を併せて参照されたい。走査駆動回路１０１は、一フレーム時間において複数の走査信号Ｇ１−Ｇｎを連続して発生して、走査線１０２１〜１０２ｍに印加する。走査信号Ｇ１−Ｇｎは、高電圧である。走査線１０２１〜１０２ｍのいずれか１つが走査信号を印加されると、走査信号Ｇ１−Ｇｎの高電圧は、走査線に接続される複数の薄膜トランジスタ１０３をオンにして、薄膜トランジスタ１０３のドレインとソースを導通させる。同時に、データ駆動回路１０２は、複数のグレースケール電圧Ｖｄを複数のデータ線１０１１〜１０１ｎに伝送して、オンにされた複数の薄膜トランジスタ１０３のソース及びドレインを介して、対応の画素電極１０４に印加して、画素ユニットにこのフレームの画素データを表示させる。
【０００６】
前記駆動方法において、その更新レートは、大体６０フレーム/秒（又は７５フレーム/秒）である。画面において、一部が静的画面である場合について、このような高い更新レートでは、必要以上のパワーをたくさん消耗してしまうことがある。従って、液晶ディスプレイを駆動する時のパワー消耗を如何に下げることは、求められている目標になる。
【発明の概要】
【発明が解決しようとする課題】
【０００７】
本発明の一目的は、異なる更新周波数によって静的領域と動的領域を更新することでパワー消耗を低減するディスプレイの駆動方法を提供することである。
【０００８】
本発明の別の目的は、一フレーム時間においてソースドライブの駆動パワーを同時に下げることでパワー消耗を低減するディスプレイ及び液晶ディスプレイの駆動方法を提供することである。当該方法は、更にこれにより、ディスプレイの更新レートを下げることができる。
【課題を解決するための手段】
【０００９】
本発明の一態様によると、走査回路と、データ回路と、前記走査回路に結合される複数本の第１信号線と、前記データ回路に結合される複数本の第２信号線と、を少なくとも含み、前記複数本の第１信号線が前記複数本の第２信号線と交差して、交差箇所に複数のピクセルを形成してピクセルマトリックスを構成する表示装置を駆動するための駆動方法であって、前記ピクセルマトリックスを少なくとも第１領域及び第２領域に区分するステップと、第１更新周波数で前記第１領域を更新するステップと、第２更新周波数で前記第２領域を更新するステップと、を少なくとも備え、前記第１更新周波数が前記第２更新周波数より小さく、一フレームにおいて、ピクセルマトリックス領域が更新されていない場合、前記データ回路の前記ピクセルマトリックス領域への出力は、開回路状態、浮動接続状態、又は高抵抗状態に設定される、駆動方法を提供する。
【００１０】
一実施例において、本発明の駆動方法は、第１映像画面データと第２映像画面データを受信するステップと、前記第１映像画面データと前記第２映像画面データを演算して対比して、映像画面モードを取得するステップと、前記映像画面モードによって、前記ピクセルマトリックスを少なくとも第１領域及び第２領域に区分するステップと、を更に備え、前記第１映像画面データと前記第２映像画面データにおいて、映像データの変動が閾値より小さい画素が、前記第１領域に区分される。
【００１１】
一実施例において、前記走査回路及び前記データ回路を制御して、前記第１領域を形成する前記第１信号線の一部及び前記第２信号線の一部への信号又は高抵抗信号の出力を停止することは、前記走査回路及び前記データ回路の電源を中断又は削減することを更に含む。
【００１２】
一実施例において、前記第１更新周波数を実行するための平均パワーは、前記第２更新周波数を実行するための平均パワーより小さい。
【００１３】
一実施例において、表示装置は、液晶ディスプレイ、電子泳動ディスプレイ、電気湿潤ディスプレイ、ＭＥＭＳ微小電気機械ディスプレイ、シリコンミニチュアディスプレイ、アクティブマトリックス又は半導体シリコンウェハーマトリックスである。
【００１４】
本発明の別の態様によると、走査回路と、データ回路と、タイミング制御回路と、レジスタと、切替回路と、前記走査回路に結合される複数本の第１信号線と、前記切替回路を介して前記データ回路に結合される複数本の第２信号線と、を少なくとも含み、前記複数本の第１信号線が前記複数本の第２信号線と交差して、交差箇所に複数のピクセルを形成してピクセルマトリックスを構成し、前記ピクセルマトリックスが少なくとも第１領域及び第２領域に区分される場合、前記レジスタが前記第１領域のアドレスを一時保存し、前記タイミング制御回路が、前記レジスタに一時保存される前記第１領域のアドレスによって、前記走査回路及び前記データ回路を制御し、第１更新周波数で前記第１領域を更新し、第２更新周波数で前記第２領域を更新し、前記第１更新周波数が前記第２更新周波数より小さく、一フレームにおいて、ピクセルマトリックス領域が更新されていない場合、前記データ回路の前記ピクセルマトリックス領域への出力は、開回路状態、浮動接続状態、又は高抵抗状態に設定される、表示装置を提供する。
【００１５】
一実施例において、前記演算判断ユニットは、第１映像画面データと第２映像画面データを受信し、前記第１映像画面データと前記第２映像画面データを対比して、映像画面モードを取得し、前記映像画面モードによって、前記ピクセルマトリックスを少なくとも第１領域及び第２領域に区分する。
【００１６】
一実施例において、前記演算判断ユニットは、前記第１映像画面データを一時保存するための第１レジスタと、前記第２映像画面データを一時保存するための第２レジスタと、前記第１映像画面データと前記第２映像画面データを対比して、前記映像画面モードを取得するためのコンパレータと、を更に含む。
【００１７】
一実施例において、レジスタと前記切替回路は、前記データ回路の中に整合される。
【００１８】
一実施例において、一フレームにおいて、ピクセルマトリックス領域が更新されていない場合、前記データ回路の前記ピクセルマトリックス領域への出力は、開回路状態、浮動接続状態、又は高抵抗状態に設定される。
【００１９】
一実施例において、前記表示装置は、液晶ディスプレイ、電子泳動ディスプレイ、電気湿潤ディスプレイ、ＭＥＭＳ微小電気機械ディスプレイ、シリコンミニチュアディスプレイ、アクティブマトリックス又は半導体シリコンウェハーマトリックスである。
【発明の効果】
【００２０】
以上をまとめると、本発明の表示駆動方法は、画面映像を少なくとも静的領域又は動的領域に更に区分することができ、表示を行う場合、区分された静的領域と動的領域によって、異なる更新周波数を別々に提供し、それによりグレースケール電圧の伝送を行って、パワーの消耗を下げる。データ駆動回路は、静的領域がその対応の更新周波数によってフレーム変化を行う場合だけで、データ信号を送信するが、静的領域がフレーム変化を行っていない場合、タイミング制御装置は、データ駆動回路を制御して、前記サブ画面へのグレースケールデータの出力を停止するため、この時、データ駆動回路の駆動電圧を下げ又はその供給を停止することで、パワー消耗を下げる目的を達成することができる。
【図面の簡単な説明】
【００２１】
下記図面の説明は、本発明の前記または他の目的、特徴、メリット、実施例をより分かりやすくするためのものである。
【００２２】
【図１】先行技術の薄膜トランジスタ液晶ディスプレイを示す模式図である。
【図２】薄膜トランジスタ液晶ディスプレイの駆動信号を示す波形図である。
【図３】本発明の実施例による薄膜トランジスタ液晶ディスプレイを示す模式図である。
【図４】本発明の実施例による薄膜トランジスタ液晶ディスプレイの更新周波数を示す模式図である。
【図５】本発明の実施例による薄膜トランジスタ液晶ディスプレイの駆動信号を示す波形図である。
【図６】演算判断ユニットが前記ピクセルマトリックスを少なくとも第１領域及び第２領域に区分するフローを表示する図である。
【図７】本発明の実施例による複数の異なる更新周波数のサブ画面を有する表示画面を示す模式図である。
【発明を実施するための形態】
【００２３】
ディスプレイ全体のパワー消耗を下げるために、本発明のディスプレイ駆動方法は、ディスプレイが一フレームの画面を表示する場合、走査駆動回路が画面中の緩慢領域又は静的領域の走査周波数（更新周波数）を下げると同時に、データ駆動回路が画面中の静的領域へのグレースケール電圧Ｖｄの伝送を停止するため、データ駆動回路及び走査駆動回路の駆動電圧を下げ又はその供給を停止することで、パワー消耗に対する二重低減の目的を達成することができる。言い換えれば、本発明は、閾値によって、画面映像を緩慢領域又は静的領域又は動的領域に更に区分することができ、表示を行う場合、区分された緩慢領域又は静的領域と動的領域によって、異なる更新周波数を別々に提供し、それによりグレースケール電圧の伝送を行って、パワー消耗を下げる。以下、複数の実施例によって本発明の応用を説明するが、注意すべきなのは、本発明の応用が下記の実施例に限定されるものではない。
【００２４】
図３は、本発明の実施形態による液晶ディスプレイを示す概略図である。前記液晶ディスプレイ２００は、走査駆動回路２０１と、データ駆動回路２０２と、タイミング制御装置２０６と、演算判断ユニット２１０と、互いに平行な複数の走査線２０１１〜２０１ｍと、互いに平行でそれぞれ前記走査線２０１１〜２０１ｍと絶縁的に直交する複数のデータ線２０２１〜２０２ｎと、複数の画素電極２０４と、複数の走査線２０１１〜２０１ｍと複数のデータ線２０２１〜２０２ｎとの交差箇所に位置する複数の薄膜トランジスタ２０３と、を含む。走査線２０１１〜２０１ｍと、絶縁的に直交するデータ線２０２１〜２０２ｎとは、画素マトリックスを構成する。前記薄膜トランジスタ２０３は、ゲートがそれぞれ走査線２０１１〜２０１ｍに接続され、ソースがそれぞれデータ線２０２１〜２０２ｎに接続され、ドレインが画素電極２０４に接続される。画素電極２０４に対向する複数の透明な共電極２０５である。一実施例において、共電極２０５は、インジウムスズ酸化物の材料からなることができる。画素電極２０４、共電極２０５及び画素電極２０４と共電極２０５との間に挟まれる液晶分子は、画素ユニットを構成する。各画素ユニットは、液晶ディスプレイ２００の最小の表示ユニットである。
【００２５】
タイミング制御装置２０６は、タイミング信号ＣＬＫをそれぞれ走査駆動回路２０１とデータ駆動回路２０２に提供する。タイミング制御装置２０６は、同時に、外部画像データに基づいて、映像データ信号をデータ駆動回路２０２に提供し、データ駆動回路２０２は、映像データ信号とタイミング信号に応じて、液晶表示装置の駆動信号を発生する。液晶表示装置が映像を正確に表示するために、タイミング制御装置２０６、走査駆動回路２０１、データ駆動回路２０２は、接続インタフェースを介して信号を伝送する。
【００２６】
液晶ディスプレイ、電子泳動ディスプレイ、電気湿潤ディスプレイ、シリコンミニチュアディスプレイ等の何れもホールド型（Ｈｏｌｄ  Ｔｙｐｅ）ディスプレイに属するため、表示される画面を保持することができるので、表示画面中の変動していない部分に対して、その更新周波数を下げれば、表示装置モジュールのパワー消耗を効果的に下げることができる。本発明は、タイミング制御装置２０６を介して、表示画面中の変動していない画素のアドレス、又は変動が閾値より低い画素のアドレスをマークして、走査駆動回路２０１を制御して前記画素アドレスの更新周波数を対応的に下げるものである。また、タイミング制御装置２０６において、更に、演算判断ユニット２１０にマークされた緩慢領域又は静的領域のアドレスをデータ駆動回路２０２中のレジスタ２０７に保存することで、切替回路２０９を制御して、データ駆動回路２０２中のデータバッファ２０８がグレースケール電圧Ｖｄを対応のデータ線に出力して、アドレスがマークされた画素電極２０４を駆動しようとする場合、データバッファ２０８と前記対応のデータ線との伝送経路を切断して、データバッファ２０８による画面中のマークアドレスへのグレースケール電圧Ｖｄの出力を停止することができる。グレースケール電圧Ｖｄは、データバッファ２０８に一時保存される。一実施例において、マークの方法として、使用者自身で設定することができ、例えば、ピクチャーインピクチャー表示画面において、サブ画面の更新周波数を下げるように設定することができるが、別の実施例において、演算判断ユニット２１０により、前後画面の対応の画素電圧の変動状況を計算することで、画面中の緩慢領域又は静的領域をマークし、更新周波数を下げる画面領域を設定したり、映像画面モード転換表を使用して、表示画面中の緩慢領域又は静的領域をマークして、更新周波数を設定したり、プロセッサ又は作業システムにより、表示画面中の緩慢領域又は静的領域をマークすることで、更新周波数を設定したりすることができる。
【００２７】
演算判断ユニット２１０は、画面中の緩慢領域又は静的領域をマークして、タイミング制御装置２０６に提供して、それによりデータ駆動回路２０２と走査駆動回路２０１を制御することができる。一実施例において、演算判断ユニット２１０は、第１レジスタ２１０１と、第２レジスタ２１０２と、を更に含む。例えば、第１映像画面データ及び第２映像画面データのような連続の映像画面データが画素マトリックスに伝送されると、第１レジスタ２１０１は前記第１映像画面データを一時保存し、第２レジスタ２１０２は前記第２映像画面データを一時保存し、前記第１映像画面データと前記第２映像画面データを対比して、映像画面モードを取得し、前記映像画面モードによって、前記画素マトリックスにおける緩慢領域又は静的領域を区分し、即ち、演算判断ユニット２１０は、画素マトリックスを少なくとも第１領域及び第２領域に区分することができる。
【００２８】
例えば、一実施例において、走査線２０１１と走査線２０１２に対応する画素領域は、更新周波数を例えば、３０Ｈｚまで下げる領域に設定され、走査線２０１３から走査線２０１ｍに対応する画素領域は、更新周波数を変えずに、例えば、６０Ｈｚを維持する。これにより、画面を表示する場合、走査駆動回路２０１が走査線２０１１から走査線２０１ｍまでの走査を行う時に、３０Ｈｚの更新周波数で走査線２０１１と走査線２０１２を走査するが、６０Ｈｚの更新周波数で走査線２０１３から走査線２０１ｍを走査する。即ち、図４に示すように、走査線２０１３から走査線２０１ｍの画素領域において、そのフレームは６０Ｈｚの速度で表示されるが、走査線２０１１から走査線２０１２までの画素領域において、そのフレームは３０Ｈｚの速度で表示される。従って、走査線２０１１から走査線２０１２までの領域における画素は、走査線２０１３から走査線２０１ｍまでの領域における画素がフレーム１とフレーム２の映像を表示する場合、フレーム１の映像のみを表示する。走査線２０１３から走査線２０１ｍまでの領域における画素がフレーム３とフレーム４の映像を表示する場合、走査線２０１１から走査線２０１２までの領域における画素は、フレーム３の映像の表示を行う。言い換えれば、走査線２０１１から走査線２０１２までの領域における画素は、フレーム２の映像の表示を行わない。
【００２９】
即ち、図５に示すように、フレーム２を表示する場合、走査駆動回路２０１は、走査線２０１１から走査線２０１２までの走査線を走査せずに、走査線２０１１から走査線２０１２までの領域における画素をフレーム１の画面を保持することができ、フレーム２のグレースケールデータが走査線２０１１から走査線２０１２までの領域における画素に伝送される必要はない。従って、本発明は、フレーム２のグレースケールデータを伝送する場合、タイミング制御装置２０６が走査線２０１３から走査線２０１ｍまでの領域における画素に伝送する場合だけで、切替回路２０９を制御してデータバッファ２０８と前記対応のデータ線との伝送経路を接続させて、データバッファ２０８によりグレースケール電圧Ｖｄを走査線２０１３から走査線２０１ｍまでの領域における対応の画素に出力させる。走査線２０１１から走査線２０１２までの領域における画素へ伝送する場合、タイミング制御装置２０６は、切替回路２０９を制御して、データバッファ２０８と前記対応のデータ線との伝送経路を切断し、又は浮動状態にして、データバッファ２０８による走査線２０１１から走査線２０１２までの領域における画素へのグレースケール電圧Ｖｄの出力を停止する。これにより、データ駆動回路２０２がデータを走査線２０１１から走査線２０１２までの領域における画素に出力する必要もないため、この時、データ駆動回路２０２に供給される電源を切ることができる。一方、タイミング制御装置２０６は、駆動回路２０１が走査線２０１１から走査線２０１２までの画素領域を走査しない場合も、走査駆動回路２０１に提供される電圧を下げて、電源の消耗を更に下げる。データ駆動回路２０２の出力信号は、データ信号、開回路状態、浮動接続状態又は高抵抗状態であってよい。ピクセルマトリックス領域が更新されていない場合、即ち、データ駆動回路２０２がデータをこのピクセルマトリックス領域に出力する必要もない場合、データ駆動回路２０２からこのピクセルマトリックス領域のピンへの出力は、開回路状態、浮動接続状態、又は高抵抗状態に設定される。別の実施例において、データ線２０２１からデータ線２０２３までの対応の画素領域は、更新周波数を、例えば、３０Ｈｚまで下げる領域に設定され、データ線２０２４からデータ線２０２ｎまでの対応の画素領域は、更新周波数を変えずに、例えば、６０Ｈｚを維持する。この実施例によると、画面を表示する場合、走査駆動回路２０１が走査線２０１１から走査線２０１ｍまでの走査を行う時に、６０Ｈｚの更新周波数で走査線２０１１から走査線２０１ｍを走査する。しかしながら、データ線２０２１からデータ線２０２３の画素領域において、そのフレームは、３０Ｈｚの速度で表示されるが、データ線２０２４からデータ線２０２ｎまでの画素領域において、そのフレームは、６０Ｈｚの速度で表示される。従って、データ線２０２１からデータ線２０２３までの領域における画素は、データ線２０２４からデータ線２０２ｎまでの領域における画素がフレーム１とフレーム２の映像を表示する場合、フレーム１の映像のみを表示する。データ線２０２４からデータ線２０２ｎまでの領域における画素がフレーム３とフレーム４の映像を表示する場合、データ線２０２１からデータ線２０２３までの領域における画素は、フレーム３の映像の表示を行う。言い換えれば、データ線２０２１からデータ線２０２３までの領域における画素は、フレーム２の映像の表示を行わない。
【００３０】
即ち、フレーム２を表示する場合、フレーム２のグレースケールデータは、データ線２０２１からデータ線２０２３までの領域における画素に伝送される必要はなく、言い換えれば、フレーム２のグレースケールデータは、データ線２０２４からデータ線２０２ｎまでの領域における画素のみに伝送される。従って、フレーム２の表示時間において、タイミング制御装置２０６は、切替回路２０９を制御して、データバッファ２０８をデータ線２０２４からデータ線２０２ｎまでに接続させて、データバッファ２０８によりグレースケール電圧Ｖｄをデータ線２０２４からデータ線２０２ｎまでの領域における対応画素に出力させる。また、タイミング制御装置２０６は、同時に、切替回路２０９を制御して、データバッファ２０８をデータ線２０２１からデータ線２０２３までから切断して、データバッファ２０８による走査線２０１１から走査線２０１２までの領域における画素へのグレースケール電圧Ｖｄの出力を停止する。これにより、データ駆動回路２０２がデータをデータ線２０２１からデータ線２０２の領域における画素に出力する必要もないため、この時、データ駆動回路２０２に供給される電源を切ることができる。データ駆動回路２０２の出力信号は、データ信号、開回路状態、浮動接続状態又は高抵抗状態であってよい。ピクセルマトリックス領域が更新されていない場合、即ちデータ駆動回路２０２がデータをこのピクセルマトリックス領域に出力する必要もない場合、データ駆動回路２０２からこのピクセルマトリックス領域のピンへの出力は、開回路状態、浮動接続状態、又は高抵抗状態に設定される。
【００３１】
更に１つの実施例において、走査線２０１１、走査線２０１２、データ線２０２２、データ線２０２３から取り囲まれる対応の画素領域は、更新周波数を、例えば、３０Ｈｚまで下げる領域に設定され、その他の画素領域は、更新周波数を変えずに、例えば、６０Ｈｚを維持する。これにより、画面を表示する場合、走査駆動回路２０１が走査線２０１１から走査線２０１ｍの走査を行う時に、６０Ｈｚの更新周波数で走査線２０１１と走査線２０１ｍを走査する。即ち、走査線２０１１、走査線２０１２、データ線２０２２、データ線２０２３から取り囲まれる対応の画素領域において、そのフレームは３０Ｈｚの速度で表示されるが、その他の画素領域において、そのフレームは６０Ｈｚの速度で表示される。従って、走査線２０１１、走査線２０１２、データ線２０２２、データ線２０２３から取り囲まれる対応の画素領域は、その他の画素領域がフレーム１とフレーム２の映像を表示する場合、フレーム１の映像のみを表示する。その他の画素領域がフレーム３とフレーム４の映像を表示する場合、走査線２０１１、走査線２０１２、データ線２０２２、データ線２０２３から取り囲まれる対応の画素領域は、フレーム３の映像の表示を行う。言い換えれば、走査線２０１１、走査線２０１２、データ線２０２２、データ線２０２３から取り囲まれる対応の画素は、フレーム２の映像の表示を行わない。
【００３２】
即ち、フレーム２を表示する場合、フレーム２のグレースケールデータは、走査線２０１１、走査線２０１２、データ線２０２２、データ線２０２３から取り囲まれる対応の画素に伝送される必要はなく、言い換えれば、フレーム２のグレースケールデータは、走査線２０１１、走査線２０１２、データ線２０２２、データ線２０２３から取り囲まれる対応の領域以外の画素にしか伝送されない。従って、タイミング制御装置２０６は、フレーム２の表示時間において、切替回路２０９を制御して、データバッファ２０８をデータ線２０２１及びデータ線２０２４からデータ線２０２ｎまでに接続させて、データバッファ２０８によりグレースケール電圧Ｖｄをデータ線２０２１及びデータ線２０２４からデータ線２０２ｎまでの領域における対応の画素に出力させる。また、タイミング制御装置２０６は、同時に、切替回路２０９を制御して、走査駆動回路２０１が走査線２０１１と走査線２０１２を走査する時に、データバッファ２０８をデータ線２０２２及びデータ線２０２３までから切断して、データバッファ２０８によるデータ線２０２２及びデータ線２０２３へのグレースケール電圧Ｖｄの出力を停止する。走査駆動回路２０１が走査線２０１３から走査線２０１ｍまでを走査する時期になるまで、データバッファ２０８をデータ線２０２２及びデータ線２０２３に接続させ、データバッファ２０８によりグレースケール電圧Ｖｄをデータ線２０２２及びデータ線２０２３に出力させる。これにより、データ駆動回路２０２は、走査駆動回路２０１が走査線２０１１と走査線２０１２を走査する時にデータをデータ線２０１１からデータ線２０１２までに出力する必要もないため、この時、データ駆動回路２０２に供給される電源を切って、電源の消耗を更に下げることができる。データ駆動回路２０２の出力信号は、データ信号、開回路状態、浮動接続状態又は高抵抗状態であってよい。ピクセルマトリックス領域が更新されていない場合、即ち、データ駆動回路２０２がデータをこのピクセルマトリックス領域に出力する必要もない場合、データ駆動回路２０２からこのピクセルマトリックス領域のピンへの出力は、開回路状態、浮動接続状態、又は高抵抗状態に設定される。
【００３３】
注意すべきなのは、前記各実施例は、３０Ｈｚ及び６０Ｈｚという２つの異なる画面の更新周波数だけで、本発明の応用を説明する。しかしながら、本発明は、画面に多種の異なる更新周波数を有するもの、即ち、画面が更新周波数同士がそれぞれ異なっている複数のサブ画面に分かれたものにも応用できる。図７に示すように、画面９００は、９０１、９０２、９０３、９０４の４つのサブ画面に分かれ、サブ画面９０１の更新周波数が３０Ｈｚであり、サブ画面９０２の更新周波数が４５Ｈｚであり、サブ画面９０３の更新周波数が１０Ｈｚであり、サブ画面９０４の更新周波数が２０Ｈｚであり、その他の画面領域の更新周波数が６０Ｈｚである。この実施例では、タイミング制御装置は、各サブ画面の更新周波数によって、走査駆動回路２０１とデータ駆動回路２０２を対応的に制御して、映像データの走査又は送信を行う。データ駆動回路は、サブ画面がその対応の更新周波数によってフレーム変化を行う場合だけで、データ信号を送信するが、サブ画面がフレーム変化を行っていない場合、タイミング制御装置は、データ駆動回路を制御して、前記サブ画面へのグレースケールデータの出力を停止するため、この時、データ駆動回路の駆動電圧を下げ又はその供給を停止することで、パワー消耗を下げる目的を達成することができる。
【００３４】
図６は、演算判断ユニット２１０、又はプロセッサや作業システムにより、前後画面の対応の画素電圧の変動の状況を計算することで、更新周波数を下げるように設定するフローを表示する図である。以下、演算判断ユニット２１０を例として説明するが、プロセッサや作業システムも、同様な判断フローを使用することができる。同時に図３を参照されたい。まず、ステップ７０１において、演算判断ユニット２１０は、第１フレーム映像データを受信して、タイミング制御装置２０６における第１レジスタ２１０１に一時保存する。次いで、ステップ７０２において、演算判断ユニット２１０は、第２フレーム映像データを受信して、タイミング制御装置２０６における第２レジスタ２１０２に一時保存する。第２フレーム映像データは、現在表示しようとする映像データである。ステップ７０３において、演算判断ユニット２１０は、第１フレーム映像データと第２フレーム映像データを対比して、映像画面モードを取得する。次いで、ステップ７０４において、演算判断ユニット２１０は、前記映像画面モードに応じて、第２フレーム映像データにおける緩慢領域又は静的領域を判断することができ、同時に、前記画素のアドレスをデータ駆動回路２０２中のレジスタ２０７に保存する。また、ステップ７０５において、静的領域の更新周波数を下げる。最後、ステップ７０６において、更新された周波数によって、表示装置の操作を行う。この場合、タイミング制御装置２０６は、第１フレーム映像データと第２フレーム映像データとの対比の結果によって、走査駆動回路２０１とデータ駆動回路２０２を対応的に制御して、映像データの走査又は送信を行う。例えば、画面中のある領域が緩慢領域又は静的領域に判定される場合、タイミング制御装置２０６は、走査駆動回路２０１とデータ駆動回路２０２を制御して、低周波数で前記静的領域に対してフレーム切替を行い、グレースケールデータを対応的に送信する。
【００３５】
以上をまとめると、本発明の表示駆動方法は、閾値によって、画面映像を少なくとも静的領域又は動的領域に更に区分することができ、表示を行う場合、区分された静的領域と動的領域によって、異なる更新周波数を別々に提供し、それによりグレースケール電圧の伝送を行って、パワーの消耗を下げる。データ駆動回路は、静的領域がその対応の更新周波数によってフレーム変化を行う場合だけで、データ信号を送信するが、静的領域がフレーム変化を行っていない場合、タイミング制御装置は、データ駆動回路を制御して、前記サブ画面へのグレースケールデータの出力を停止するため、この時、データ駆動回路の駆動電圧を下げ又はその供給を停止することで、パワー消耗を下げる目的を達成することができる。また、本出願の前記駆動方法は、表示装置の駆動集積回路又はタイミング制御装置により実行され、又は表示装置の駆動集積回路とタイミング制御装置により実行されることができ、追加の駆動素子を設置する必要はない。
【００３６】
本発明は、実施形態によって、上記のように開示されたが、それは本発明を限定するものではなく、当業者なら誰でも、本発明の精神と範囲から逸脱しない範囲内で、多種の変更や修飾を加えることができるため、本発明の保護範囲は、後の特許請求の範囲に規定されたものに準ずる。
【符号の説明】
【００３７】
１００  液晶ディスプレイ
１０１  走査駆動回路
１０２  データ駆動回路
１０３  薄膜トランジスタ
１０４  画素電極
１０５  共電極
２００  液晶ディスプレイ
２０１  走査駆動回路
２０２  データ駆動回路
２０３  薄膜トランジスタ
２０４  画素電極
２０５  共電極
２０６  タイミング制御装置
２０７  レジスタ
２０８  データバッファ
２０９  切替回路
２１０  演算判断ユニット
７０１〜７０６  ステップ
９００  画面
９０１、９０２、９０３、９０４  サブ画面
１０１１〜１０１ｎ  データ線
１０２１〜１０２ｍ  走査線
２０１１〜２０１ｍ  走査線
２０２１〜２０２ｎ  データ線
２１０１  第１レジスタ
２１０２  第２レジスタ
【図１】
2013148905.tif 000003
【図２】
2013148905.tif 000004
【図３】
2013148905.tif 000005
【図４】
2013148905.tif 000006
【図５】
2013148905.tif 000007
【図６】
2013148905.tif 000008
【図７】
2013148905.tif 000009